(57)【特許請求の範囲】
【請求項１】
少なくとも側面に情報機器への取り付け手段を備えた磁気記録装置において、
前記取り付け手段は、前記磁気記録装置の側面外側方向に突出し前記情報機器の取り付け部と係合可能な突起を備えており、
前記突起は、前記磁気記録装置の一方の側面に設けられ、
他方の側面には、前記情報機器へ取り付けるための取り付け穴が設けられていることを特徴とする磁気記録装置。
【請求項２】
請求項１において、
前記突起は、前記磁気記録装置に取り付けられた取り付け板に設けられており、
前記取り付け板は、前記磁気記録装置の側面方向にばね性を有して構成されてなることを特徴とする磁気記録装置。
【発明の詳細な説明】
【０００１】
【産業上の利用分野】
本発明はフロッピーディスクドライブ等の磁気記録装置に関する。
【０００２】
【従来の技術】
従来の磁気記録装置は、磁気記録装置の側面にねじ穴をあけてあり、そのねじ穴を用いて情報機器に取り付けていた。
【０００３】
図５は取り付け用のねじを備えた従来の磁気記録装置の構成を示す平面図であり、図６は従来の磁気記録装置の正面図であり、図７は従来の磁気記録装置の側面図である。
【０００４】
磁気記録装置は磁気記録装置の本体５の側面に設けられた取り付け板３に設けた穴２を用いて情報機器に取り付けられる。
【０００５】
図８は図５の磁気記録装置の取り付け状態を示す平面図である。磁気記録装置を取り付けるための情報機器の取り付け板６には、ねじ７で取り付けるための穴８があけてあり、図５に示すねじ穴２と位置をあわせねじ７で締めつけ固定をする。
【０００６】
【発明が解決しようとする課題】
しかし、前述の従来技術では取り付けを行う情報機器にねじ締めを行うための空間を両側面に用意する必要があり、側面の部分の空間活用に制約を生じ情報機器の小型化・集積化の障害となるという問題を有する。
【０００７】
【課題を解決するための手段】
本発明の磁気記録装置は、少なくとも側面に情報機器への取り付け手段を備えた磁気記録装置において、前記取り付け手段は、前記磁気記録装置の側面外側方向に突出し前記情報機器の取り付け部と係合可能な突起を備えており、前記突起は、前記磁気記録装置の一方の側面に設けられ、他方の側面には、前記情報機器へ取り付けるための取り付け穴が設けられていることを特徴とする。
【０００８】
【作用】
本発明の上記構成によればねじの使用本数が低減でき、組立時間の短縮が計れるとともにねじ締めのスペースを減少させることができるものである。
【０００９】
【実施例】
図１は本発明の実施例における磁気記録装置の平面図であり、図２は磁気記録装置の正面図であり、図３は磁気記録装置の側面図である。
【００１０】
図１において、磁気記録装置本体１０５に設けた取り付け板１０４には突起１０１が２ヶ所設けてある。又、磁気記録装置本体１０５の反対側の取り付け板１０３には従来の取り付け板と同様な取り付け穴１０２が設けてある。
【００１１】
この取り付け板１０４を側面から見ると図３に示すとおりであり、取り付け板１０４の両端に円錐状の突起１０１が突出している。取り付け板１０４はばね性をもっており、その中心で磁気記録装置本体１０５にねじ１０６により取り付けてある。
【００１２】
図４は本発明における磁気記録装置を情報機器に取り付けた平面図である。
【００１３】
情報機器の取り付け板１０６に設けた取り付け穴１０６ａと突起１０１が係合している。反対面の取り付け板１０８には取り付け穴１０８ａが設けてあり、ねじ１０７によって磁気記録装置本体１０５を情報機器に固定している。
【００１４】
このとき、取り付け板１０３、１０４はばね性を持っており、情報機器側の取り付け板１０６、１０８との間に挟みこむように取り付けてある。そのため、外部から振動衝撃が情報機器に加わっても、磁気記録装置１０５は移動することなく、また、取り付けによる隙間の発生も押さえられている。
【００１５】
本実施例では片側の取り付け板１０３側のみに突起１０１を設けたが、これは片側に限定するものではなく、両側を突起１０１で固定することもできる。この場合はねじ１０７が不要になり、磁気記録装置の取り付けが非常に容易になる。さらに、取り付け板１０３、１０４のそれぞれ一方の端部にのみ突起を設け他の端部には取り付け用の穴を設けることもできる。もしくは、取り付け板の一端にのみ突起を設け他は取り付け穴とすることもできる。このように構成することで、取り付けねじを減らすことができるとともに、情報機器内部での狭いスペースを有効に利用でき、スペースの無い部分を突起とし、スペースのある部分をねじで固定することができ、情報機器の小型化にも貢献できるものである。
【００１６】
本例では位置決め用の突起１０１も取り付け穴１０８ａも取り付け板１０３、１０４によって磁気記録装置本体１０５と接続されているが、磁気記録装置本体１０５に位置決め用の突起１０１もしくはねじ穴１０８ａのいずれかを一体で構成しても同様の効果が得られる。
【００１７】
また、本例では取り付け板１０３に突起１０１を設けてあるが、突起１０１を別体とし、取り付け用に設けた取り付け穴１０８ａにねじで取り付けた後、情報機器１０６へ組込むことで突起１０１の位置を自由に設定でき、情報機器のスペースの無い部分を突起とすることがより容易となる。
【００１８】
【発明の効果】
以上述べたように本発明によれば、磁気記録装置の情報機器への取り付けにおいて、取り付け時間を短縮できるものである。また、取り付けねじも少なくでき、コスト低減が計れるものである。
【００１９】
さらに、側面の取り付け板の一部に突起を設け他を穴とすれば、情報機器のスペースを有効に利用でき、ねじの設けられないスペースを突起として、情報機器の取り付け板と係合固定できるため、情報機器の小型化に非常に有効である。
【００２０】
さらに、取り付け板がばね性をもっており、情報機器への取り付け時にクッションの働きをすることができ、情報機器に外部から衝撃振動等の外力が加わった場合に緩衝材として働き、磁気記録装置の耐衝撃性の向上が計れる。また、取り付け板がばね性を持つことにより取り付けによる歪みの発生を緩衝することもできる等、本発明の効果は非常に大きい。
【００２１】
さらに、側面の位置決め用の突起が別体で構成され、側面のねじ穴とねじによって固定されていることによって突起の取り付け位置を自由に設定することができ、ねじの設けられないスペースへの対応への自由度がより向上するなど本発明の効果は非常に大きい。
【図面の簡単な説明】
【図１】本発明の実施例である磁気記録装置の平面図。
【図２】本発明の実施例である磁気記録装置の正面図。
【図３】本発明の実施例である磁気記録装置の側面図。
【図４】本発明の磁気記録装置の取り付け状態を示す平面図。
【図５】従来の実施例である磁気記録装置の平面図。
【図６】従来の実施例である磁気記録装置の正面図。
【図７】従来の実施例である磁気記録装置の側面図。
【図８】従来の磁気記録装置の取り付け状態を示す平面図。
【符号の説明】
１０１        ・・・位置決め用突起
１０２        ・・・取り付け用ねじ穴
１０３、１０４・・・取り付け板
１０５        ・・・磁気記録装置本体
１０６、１０８・・・情報機器の取り付け板
【図１】
0003653777.tif 000002
【図２】
0003653777.tif 000003
【図３】
0003653777.tif 000004
【図４】
0003653777.tif 000005
【図５】
0003653777.tif 000006
【図６】
0003653777.tif 000007
【図７】
0003653777.tif 000008
【図８】
0003653777.tif 000009